(57)【要約】【課題】  分離部分の境界から異物を挿入するような不正行為を未然に防止する。【解決手段】  分離型スロットマシン１は下部筐体３Ｄと上部筐体３Ｕとからなる。下部筐体３Ｄは下部収納箱５Ｄと下部扉７Ｄとからなる。上部筐体３Ｕは下部収納箱５Ｄに着脱自在に結合される上部収納箱５Ｕと上部扉７Ｕとからなる。防護部材９は、外枠体５１と内枠体５３とデザインパネル５５とからなり、外枠体５１と内枠体５３とによりデザインパネル５５を着脱自在に保持するパネル用フレーム５７が構成されている。防護部材９を筐体３Ｄ，３Ｕに装着すると、防護部材９が下部扉７Ｄと上部扉７Ｕとの境界を覆っている。【選択図】  図３
2006094928.tif 000002
【特許請求の範囲】
【請求項１】
電源ユニットと遊技者にメダルを払い出すためのホッパーユニットとを内部に備えた下部筐体と、
前記下部筐体に対して着脱自在に結合され、複数の図柄が表示された回転リールが配設されたリールユニットと遊技者が操作するスイッチ群が配設された操作ユニットと各ユニットの動作を制御する制御基板が配設された基板ユニットとを備えた上部筐体と、
前記下部筐体および前記上部筐体の前面に着脱自在に設けられ、装着時に結合状態の前記下部筐体と前記上部筐体との間の境界を覆う防護部材と
を備えたことを特徴とする分離型スロットマシン。
【請求項２】
前記防護部材が、前記境界を覆う装飾用パネルを備えていることを特徴とする請求項１に記載の分離型スロットマシン。
【請求項３】
前記防護部材が、前記装飾用パネルを着脱自在に保持するパネル用フレームをさらに備えていることを特徴とする請求項２に記載の分離型スロットマシン。
【請求項４】
前記パネル用フレームが、
前記下部筐体に設けられた被係合部に係合する下側係合部と、
前記上部筐体に設けられた被係合部に係合する上側係合部と
を備えていることを特徴とする請求項３に記載の分離型スロットマシン。
【請求項５】
前記下部筐体の前面であって前記装飾用パネルの後方に配設された照明用光源をさらに備え、
前記パネル用フレームは、外枠体と、該外枠体の後方に固定され前記照明用光源からの光を前方に向けて反射する内枠体とを備えている
ことを特徴とする請求項３または４に記載の分離型スロットマシン。
【請求項６】
前記防護部材が、正面板部と該正面板部の左右端から後方にそれぞれ延びる左右の側板部とを備えて平面視でコ字状に形成され、装着時に前記左右の側板部が結合状態の前記下部筐体と前記上部筐体との間の左右両側面における境界の前端部を覆う
ことを特徴とする請求項１ないし５のいずれかに記載の分離型スロットマシン。
【請求項７】
前記下部筐体は、前記電源ユニットと前記ホッパーユニットとを内部に収容する下部収容箱と、該下部収容箱の前面開口を開閉自在に閉塞する下部扉とからなり、
前記上部筐体は、前記下部収容箱に対して着脱自在に結合され前記リールユニットと前記基板ユニットとを内部に収容する上部収容箱と、前記操作ユニットが外面に配設され前記上部収容箱の前面開口を開閉自在に閉塞する上部扉とからなり、
前記防護部材は、前記下部扉および前記上部扉の前面に着脱自在に設けられ、装着時に前記下部扉と前記上部扉との間の境界を覆う
ことを特徴とする請求項１ないし６のいずれかに記載の分離型スロットマシン。
【請求項８】
電源ユニットと遊技者にメダルを払い出すためのホッパーユニットとを内部に備えた下部筐体と、
前記下部筐体に対して着脱自在に結合され、複数の図柄が表示された回転リールが配設されたリールユニットと遊技者が操作するスイッチ群が配設された操作ユニットと各ユニットの動作を制御する制御基板が配設された基板ユニットとを備えた上部筐体と、
前記下部筐体の前面に配設された照明用光源と、
前記照明用光源の前方に配設された装飾用パネルと、
前記下部筐体の前面に着脱自在に設けられ前記装飾用パネルを着脱自在に保持するパネル用フレームとを備え、
前記パネル用フレームは、外枠体と、前記外枠体の後方に固定され前記照明用光源からの光を前方に向けて反射する内枠体とを備えている
ことを特徴とする分離型スロットマシン。
【請求項９】
前記内枠体が、前面に開口を有する箱形状で、前記照明用光源の配設スペースのための透孔が透設され前記開口より小サイズの底板部と、この底板部から前記開口に向けて傾斜面を形成する傾斜部とを備えていることを特徴とする請求項８に記載の分離型スロットマシン。
【請求項１０】
前記外枠体と前記内枠体とにより、前記装飾用パネルの挿入路が形成されていることを特徴とする請求項８または９に記載の分離型スロットマシン。
【発明の詳細な説明】
【技術分野】
【０００１】
この発明は、上部筐体と下部筐体とを分離可能に構成した分離型スロットマシンに関するものである。
【背景技術】
【０００２】
従来のスロットマシンは、箱形の筐体と、筐体の前面を開閉自在に閉塞する前扉とを備え、リールユニットやホッパーユニット、基板ユニットなどが内部に固定配置されて構成されており、遊技内容を変更する際にはマシン全体を交換していた。これに対して、遊技内容に直接関係しないホッパーユニットなどを有効活用するために、遊技内容に直接関係するリールユニットなどからなる交換ユニットのみを交換可能にした分離型スロットマシンが提案されている（例えば特許文献１参照）。この特許文献１に記載の分離型スロットマシンでは、前扉を上扉と下扉とで構成し、交換ユニットを筐体の上部に収納した状態で筐体の開口上部を上扉で開閉可能に形成している。
【０００３】
【特許文献１】特開２００３−４７６８６号公報（図１）
【発明の開示】
【発明が解決しようとする課題】
【０００４】
上記従来の特許文献１に記載の分離型スロットマシンでは、筐体の開口上部のみを上扉で開閉可能にするために、前扉を互いに別体となる上扉と下扉とで構成しているが、その上扉と下扉との境界が露出しているため、その境界から異物を挿入するような不正行為が行われるおそれがあった。また、上記従来の特許文献１に記載の分離型スロットマシンでは、下扉に設けられた装飾用の前パネルを交換可能にしているが、交換可能にするために装飾用パネルを着脱自在に保持するパネル用フレームを設ける場合には、そのパネル用フレームに一定の強度を持たせる必要がある。また、このような装飾用パネルを備える場合には、照明用光源により装飾用パネルを効果的に照明する必要がある。
【０００５】
本発明は、上記課題に鑑みてなされたもので、分離部分の境界から異物を挿入するような不正行為を未然に防止することが可能な分離型スロットマシンを提供することを目的とする。
【０００６】
また、本発明は、一定の強度を有するパネル用フレームを実現するとともに、照明用光源により装飾用パネルを効果的に照明するようにした分離型スロットマシンを提供することを目的とする。
【課題を解決するための手段】
【０００７】
上記目的を達成するために、本発明にかかる分離型スロットマシンは、電源ユニットと遊技者にメダルを払い出すためのホッパーユニットとを内部に備えた下部筐体と、前記下部筐体に対して着脱自在に結合され、複数の図柄が表示された回転リールが配設されたリールユニットと遊技者が操作するスイッチ群が配設された操作ユニットと各ユニットの動作を制御する制御基板が配設された基板ユニットとを備えた上部筐体と、前記下部筐体および前記上部筐体の前面に着脱自在に設けられ、装着時に結合状態の前記下部筐体と前記上部筐体との間の境界を覆う防護部材とを備えたことを特徴としている（請求項1）。
【０００８】
また、前記防護部材が、前記境界を覆う装飾用パネルを備えているとしてもよい（請求項２）。
【０００９】
また、前記防護部材が、前記装飾用パネルを着脱自在に保持するパネル用フレームをさらに備えているとしてもよい（請求項３）。
【００１０】
また、前記パネル用フレームが、前記下部筐体に設けられた被係合部に係合する下側係合部と、前記上部筐体に設けられた被係合部に係合する上側係合部とを備えているとしてもよい（請求項４）。
【００１１】
また、前記下部筐体の前面であって前記装飾用パネルの後方に配設された照明用光源をさらに備え、前記パネル用フレームは、外枠体と、該外枠体の後方に固定され前記照明用光源からの光を前方に向けて反射する内枠体とを備えているとしてもよい（請求項５）。
【００１２】
また、前記防護部材が、正面板部と該正面板部の左右端から後方にそれぞれ延びる左右の側板部とを備えて平面視でコ字状に形成され、装着時に前記左右の側板部が結合状態の前記下部筐体と前記上部筐体との間の左右両側面における境界の前端部を覆うとしてもよい（請求項６）。
【００１３】
また、前記下部筐体は、前記電源ユニットと前記ホッパーユニットとを内部に収容する下部収容箱と、該下部収容箱の前面開口を開閉自在に閉塞する下部扉とからなり、前記上部筐体は、前記下部収容箱に対して着脱自在に結合され前記リールユニットと前記基板ユニットとを内部に収容する上部収容箱と、前記操作ユニットが外面に配設され前記上部収容箱の前面開口を開閉自在に閉塞する上部扉とからなり、前記防護部材は、前記下部扉および前記上部扉の前面に着脱自在に設けられ、装着時に前記下部扉と前記上部扉との間の境界を覆うとしてもよい（請求項７）。
【００１４】
また、上記目的を達成するために、本発明にかかる分離型スロットマシンは、電源ユニットと遊技者にメダルを払い出すためのホッパーユニットとを内部に備えた下部筐体と、前記下部筐体に対して着脱自在に結合され、複数の図柄が表示された回転リールが配設されたリールユニットと遊技者が操作するスイッチ群が配設された操作ユニットと各ユニットの動作を制御する制御基板が配設された基板ユニットとを備えた上部筐体と、前記下部筐体の前面に配設された照明用光源と、前記照明用光源の前方に配設された装飾用パネルと、前記下部筐体の前面に着脱自在に設けられ前記装飾用パネルを着脱自在に保持するパネル用フレームとを備え、前記パネル用フレームは、外枠体と、前記外枠体の後方に固定され前記照明用光源からの光を前方に向けて反射する内枠体とを備えていることを特徴としている（請求項８）。
【００１５】
また、前記内枠体が、前面に開口を有する箱形状で、前記照明用光源の配設スペースのための透孔が透設され前記開口より小サイズの底板部と、この底板部から前記開口に向けて傾斜面を形成する傾斜部とを備えているとしてもよい（請求項９）。
【００１６】
また、前記外枠体と前記内枠体とにより、前記装飾用パネルの挿入路が形成されているとしてもよい（請求項１０）。
【発明の効果】
【００１７】
請求項１の発明によれば、下部筐体および上部筐体の前面に着脱自在に設けられた防護部材を装着すると、結合状態の下部筐体と上部筐体との間の境界が覆われるため、その境界が外部に露出することがなくなり、その境界から異物を挿入するような不正行為が行われるのを未然に防止することができる。
【００１８】
また、請求項２の発明によれば、装飾用パネルにより境界が覆われているため、装飾機能を有する既存の装飾用パネルに境界を覆う防護機能を兼用させることができ、これによって部品点数の増大を避けてマシンの構成を簡素化することができる。
【００１９】
また、請求項３の発明によれば、装飾用パネルを着脱自在に保持するパネル用フレームをさらに備えているため、装飾用パネルを交換することができる。したがって、交換した新たな上部筐体に適合する新たな装飾用パネルを装着することが可能になり、これによって、上部筐体を交換しても装飾用パネルの装飾機能を維持することができる。
【００２０】
また、請求項４の発明によれば、パネル用フレームの下側係合部が下部筐体に設けられた被係合部に係合し、上側係合部が上部筐体に設けられた被係合部に係合するため、下部筐体と上部筐体との境界を覆った状態を確実に保持することができるとともに、パネル用フレームが下部筐体と上部筐体とを連結する機能を果たすことができる。
【００２１】
また、請求項５の発明によれば、内枠体により、下部筐体の前面であって装飾用パネルの後方に配設された照明用光源からの光を前方に向けて反射するため、装飾用パネルを好適に照明することができる。また、内枠体を外枠体の後方に固定してパネル用フレームを構成しているため、一定の強度を有するパネル用フレームを実現することができる。
【００２２】
また、請求項６の発明によれば、左右の側板部が結合状態の下部筐体と上部筐体との間の左右両側面における境界の前端部を覆っているため、より確実に、下部筐体と上部筐体との間の境界から異物を挿入するような不正行為を防止することができる。
【００２３】
また、請求項７の発明によれば、下部筐体が下部収容箱と下部扉とからなり、上部筐体が、下部収容箱に対して着脱自在に結合される上部収容箱と上部扉とからなるため、上部筐体のみを交換することで、リールユニットと基板ユニットと操作ユニットとを新規なものと交換し、電源ユニットとホッパーユニットとを継続使用して有効活用することができる。しかも、下部扉および上部扉の前面に着脱自在に設けられた防護部材を装着すると下部扉と上部扉との間の境界が覆われるため、その境界が外部に露出することがなくなり、その境界から異物を挿入するような不正行為が行われるのを未然に防止することができる。
【００２４】
また、請求項８の発明によれば、下部筐体の前面に配設された照明用光源からの光が前方に向けて反射されるため、照明用光源の前方に配設された装飾用パネルを好適に照明することができる。また、内枠体を外枠体の後方に固定してパネル用フレームを構成しているため、一定の強度を有するパネル用フレームを実現することができる。
【００２５】
また、請求項９の発明によれば、開口より小サイズの底板部から開口に向けて傾斜面を形成しているため、この傾斜面により照明用光源からの光を確実に前方に向けて反射することができる。また、箱形状である内枠体を外枠体の後方に固定してパネル用フレームを構成しているため、確実に一定の強度を有するパネル用フレームを実現することができる。
【００２６】
また、請求項１０の発明によれば、外枠体と内枠体とにより、装飾用パネルの挿入路が形成されているため、簡素な構成で装飾用パネルの着脱を容易に行うことが可能になる。
【発明を実施するための最良の形態】
【００２７】
図１は本発明にかかる分離型スロットマシンの一実施形態の外観を示す斜視図、図２はベットスイッチを示す斜視図、図３は防護部材を取り外した状態を示す分離型スロットマシンの斜視図である。また、図４および図５は分離型スロットマシンの右側面図で、図４は防護部材を取り外した状態を示し、図５はさらに上部筐体を下部筐体から取り外した状態を示している。
【００２８】
この実施形態における分離型スロットマシン１は、例えば図１ないし図５に示すように構成されている。即ち、この分離型スロットマシン１では、下部筐体３Ｄが上部筐体３Ｕに対して分離可能に構成されている。下部筐体３Ｄは、下部収納箱５Ｄと、その下部収納箱５Ｄの前面開口を開閉自在に閉塞する下部扉７Ｄとからなる。また、上部筐体３Ｕは、上部収納箱５Ｕと、その上部収納箱５Ｕの前面開口を開閉自在に閉塞する上部扉７Ｕとからなる。下部扉７Ｄから上部扉７Ｕに亘って、後述する防護部材９が着脱自在に配設されている。そして、図５に示すように、防護部材９を取り外した状態で、上部筐体３Ｕを下部筐体３Ｄから分離可能に構成されている。
【００２９】
下部収納箱５Ｄは、電源ユニット１１と、遊技者にメダルを払いだすためのホッパーユニット１３とを内部に備えている。また、上部収納箱５Ｕは、左・中・右回転リール１５Ｌ，１５Ｍ，１５Ｒが配設されたリールユニット１５と、各部の動作を制御するＣＰＵが実装された制御基板が配設された基板ユニット１７とを内部に備えている。また、上部扉７Ｕは、その下端に、遊技者が操作するスイッチ群が配設された操作ユニット１９を備え、この操作ユニット１９の上方には、正面板２１が配設されている。
【００３０】
この操作ユニット１９には、内部に貯留されているクレジットメダルからのメダル投入を指示するためのベットスイッチ２３、各回転リールの回転を開始させるためのレバー状のスタートスイッチ２５、左・中・右回転リール１５Ｌ，１５Ｍ，１５Ｒの回転をそれぞれ停止させるための左・中・右ストップスイッチ２７Ｌ，２７Ｍ，２７Ｒを備えたスイッチユニット２７、クレジットメダルを払い出すための精算スイッチ２９、およびメダル投入口３１が設けられている。ベットスイッチ２３は、図２に示すように、共通のスイッチケース２３ａの内部に、ほぼ円筒形状の押ボタン２３ｂと、この押ボタン２３ｂを囲む平面視ほぼドーナツ形状の押ボタン２３ｃとが配設されて構成され、押ボタン２３ｂを押し込むと内部に貯留されているクレジットメダルから１枚ずつのメダル投入が指示され、押ボタン２３ｃを押し込むとクレジットメダルから１遊技あたりの最大投入枚数（例えば３枚）のメダル投入が指示されるようになっている。押ボタン２３ｃの表面が押ボタン２３ｂの表面より突出するように構成されており、これにより、押ボタン２３ｃが押ボタン２３ｂを囲む形状と相俟って、いわゆる１枚賭けの押ボタン２３ｂより最大枚数賭けの押ボタン２３ｃの方が操作し易いようになっている。
【００３１】
また、操作ユニット１９の上方の正面板２１には横長矩形の表示窓３３が設けられ、この表示窓３３からは、回転リール１５Ｌ，１５Ｍ，１５Ｒの図柄が上段・中段・下段の各々３個ずつ覗くように設定されている。また、表示窓３３の上方のほぼ中央には、動画などを表示して演出を行うための横長矩形の液晶表示器３５が設けられ、この液晶表示器３５の左右には、音楽などによる演出を行うためのスピーカ３７Ｌ，３７Ｒがそれぞれ設けられている。また、上部扉７Ｕの上辺には中央ランプ部３９Ｍが配設され、上部扉７Ｕの左右辺にはそれぞれ左・右ランプ部３９Ｌ，３９Ｒが配設されている。各ランプ部３９Ｍ，３９Ｌ，３９Ｒには、それぞれ発光ダイオードなどの光源が配設されており、遊技者に当選や入賞を告知するなどの演出が行われる。
【００３２】
また、下部扉７Ｄの下半部には、メダルの払出口４１や、この払出口４１から払い出されるメダルを受けるメダル受け４３が設けられており、下部扉７Ｄの上半部の正面板４５には、防護部材９のデザインパネル５５（後述）を内側から照明するための冷陰極管４５Ｕ，４５Ｄが配設されている。
【００３３】
図６は正面側から見た防護部材９の斜視図、図７は背面側から見た防護部材９の斜視図である。また、図８は正面側から見た防護部材９の分解斜視図、図９は背面側から見た防護部材９の分解斜視図である。また、図１０は図８のＸ−Ｘ線断面図、図１１は防護部材が取り外された分離型スロットマシンを下前方から見た斜視図である。防護部材９は、外枠体５１と内枠体５３とデザインパネル５５とからなる。そして、外枠体５１と内枠体５３とによりデザインパネル５５を着脱自在に保持するパネル用フレーム５７が構成されている。
【００３４】
外枠体５１は、防護部材９の外枠を形成するもので、正面中央に形成された矩形のパネル表示用の透孔６１ａが透設された正面板部６１と、正面板部６１の左右端から後方に延びる左・右側板部６３Ｌ，６３Ｒとを備え、平面視ほぼコ字形状に形成されている。また、正面板部６１の背面側で透孔６１ａを囲む下辺および左右辺に沿って透孔６１ａより多少外側に、内枠体５３との間に所要の隙間を形成するための間隔形成板６５Ｄ，６５Ｌ，６５Ｒがそれぞれ立設されている。この間隔形成板６５Ｄ，６５Ｌ，６５Ｒの高さは、デザインパネル５５の厚さより多少長い寸法に設定されている。
【００３５】
内枠体５３は、前面に開口を有する箱形状に形成され、矩形の開口枠を形成する上下左右のフランジ部７１Ｕ，７１Ｄ，７１Ｌ，７１Ｒと、この開口より小サイズでほぼ矩形の底板部７３と、底板部７３の各辺から各フランジ部７１Ｕ，７１Ｄ，７１Ｌ，７１Ｒに向けてそれぞれ傾斜しつつ延びる上下左右の傾斜部７５Ｕ，７５Ｄ，７５Ｌ，７５Ｒとを備えている。すなわち、内枠体５３は、正面視ほぼ矩形形状で平面視ほぼ台形形状の立体的な箱形状に形成されている。底板部７３には、下部扉７Ｄの冷陰極管４５Ｕ，４５Ｄに対応する位置に、横長矩形形状の光源用透孔７７Ｕ，７７Ｄが上下に並んで透設されている。そして、防護部材９を上部筐体３Ｕおよび下部筐体３Ｄに装着すると、底板部７３の背面が下部扉７Ｄの正面板４５に当接し、冷陰極管４５Ｕ，４５Ｄがそれぞれ光源用透孔７７Ｕ，７７Ｄのほぼ中央に配置される。特に図１０に示すように、光源用透孔７７Ｕ，７７Ｄの上下辺にはそれぞれ傾斜面７９が形成されている。この傾斜面７９および傾斜部７５Ｕ，７５Ｄ，７５Ｌ，７５Ｒにより、内枠体５３は、冷陰極管４５Ｕ，４５Ｄからの光を前方に反射するリフレクタとしての機能を果たしており、これによって、デザインパネル５５が好適に照明されることとなる。
【００３６】
この内枠体５３は、上フランジ部７１Ｕの左右からそれぞれ後方に突出する上側係合部８１ＵＬ，８１ＵＲと、上傾斜部７５Ｕの中央左寄りから後方に突出する上側係合部８１ＵＭと、下フランジ部７１Ｄの左右から後方に突出する下側係合部８１ＤＬ，８１ＤＲとを備えている。そして、上側係合部８１ＵＬ，８１ＵＲ，８１ＵＭの上面に形成されたフック８１ａが、上部扉７Ｕの下端に設けられた被係合部８３ＵＬ，８３ＵＲ，８３ＵＭに係合する。また、下側係合部８１ＤＬ，８１ＤＲは、下部扉７Ｄの正面板４５に設けられた被係合部８３ＤＬ，８３ＤＲに係合する。これによって、防護部材９は、上部扉７Ｕと下部扉７Ｄとの境界、すなわち上部筐体３Ｕと下部筐体３Ｄとの境界を覆った状態を確実に保持することができる。また、防護部材９は、上部扉７Ｕと下部扉７Ｄとを連結する機能も果たしている。
【００３７】
デザインパネル５５は、分離型スロットマシン１の遊技機としての名称や装飾のための絵画などが描かれたもので、この実施形態では、上部扉７Ｕと下部扉７Ｄとの境界、すなわち上部筐体３Ｕと下部筐体３Ｄとの境界を覆う機能も果たしている。このように、この実施形態では、デザインパネル５５が本発明の「装飾用パネル」に相当し、冷陰極管４５Ｕ，４５Ｄが本発明の「照明用光源」に相当する。
【００３８】
ここで、防護部材９の組立手順およびその筐体３Ｕ，３Ｄへの固定手順について簡単に説明する。まず、内枠体５３のフランジ部７１Ｄ，７１Ｌ，７１Ｒの表面がそれぞれ間隔形成板６５Ｄ，６５Ｌ，６５Ｒの先端に当接した状態で、後方から外枠体５１に対して複数箇所が例えばねじ止めされて内枠体５３が外枠体５１に固定され、パネル用フレーム５７が形成される。このとき、外枠体５１の正面板部６１と、内枠体５３のフランジ部７１Ｄ，７１Ｌ，７１Ｒとの間に、間隔形成板６５Ｄ，６５Ｌ，６５Ｒの高さ分の隙間がデザインパネル５５の挿入路として形成される。そして、この挿入路にデザインパネル５５を挿入することにより防護部材９が組み立てられる。次いで、この防護部材９の上側係合部８１ＵＬ，８１ＵＲ，８１ＵＭを上部扉７Ｕの被係合部８３ＵＬ，８３ＵＲ，８３ＵＭにそれぞれ係合し、下側係合部８１ＤＬ，８１ＤＲを下部扉７Ｄの被係合部８３ＤＬ，８３ＤＲにそれぞれ係合することによって、防護部材９が上部筐体３Ｕおよび下部筐体３Ｄに固定されることとなる。
【００３９】
こうして防護部材９が筐体３Ｕ，３Ｄに装着されると、下部扉７Ｄと上部扉７Ｕとの間の前面の境界が、デザインパネル５５により覆われる。また、下部扉７Ｄと上部扉７Ｕとの間の左右両側面の境界の前端部が、それぞれ外枠体５１の左・右側板部６３Ｌ，６３Ｒにより覆われる。
【００４０】
以上説明したように、この実施形態によれば、下部扉７Ｄと上部扉７Ｕとの間の境界、すなわち下部筐体３Ｄと上部筐体３Ｕとの間の境界を防護部材９により覆っているため、その境界が外部に露出することがなくなり、その境界から異物を挿入するような不正行為が行われるのを未然に防止することができる。また、その境界をデザインパネル５５により覆っているため、装飾機能を有する既存のデザインパネル５５に境界を覆う防護機能を兼用させることができ、これによって部品点数の増大を避けて分離型スロットマシン１の構成を簡素化することができる。また、外枠体５１および内枠体５３によりデザインパネル５５を着脱自在に保持しているため、デザインパネル５５を交換することができる。したがって、交換した新たな上部筐体３Ｕに適合する新たなデザインパネル５５を装着することが可能になり、これによって、上部筐体３Ｕを交換してもデザインパネル５５の装飾機能を維持することができる。また、外枠体５１の左・右側板部６３Ｌ，６３Ｒが下部扉７Ｄと上部扉７Ｕとの間の左右両側面における境界の前端部を覆っているため、より確実に、下部扉７Ｄと上部扉７Ｕとの間の境界から異物を挿入するような不正行為を防止することができる。
【００４１】
また、この実施形態によれば、内枠体５３に設けられた下側係合部８１ＤＬ，８１ＤＲが下部扉７Ｄに設けられた被係合部８３ＤＬ，８３ＤＲに係合し、上側係合部８１ＵＬ，８１ＵＭ，８１ＵＲが上部扉７Ｕに設けられた被係合部８３ＵＬ，８３ＵＭ，８３ＵＲに係合するため、下部扉７Ｄと上部扉７Ｕとの境界を覆った状態を確実に保持することができるとともに、パネル用フレーム５７が下部扉７Ｄと上部扉７Ｕとを連結する機能を果たすことができる。
【００４２】
また、この実施形態によれば、内枠体５３を前面に開口を有する箱形状に形成し、開口より小サイズでほぼ矩形の底板部７３の各辺から開口に向けてそれぞれ傾斜しつつ延びる上下左右の傾斜部７５Ｕ，７５Ｄ，７５Ｌ，７５Ｒを備えているため、この傾斜部７５Ｕ，７５Ｄ，７５Ｌ，７５Ｒにより冷陰極管４５Ｕ，４５Ｄからの光を確実に前方に向けて反射することができる。また、箱形状で立体的な内枠体５３を外枠体５１の後方に固定してパネル用フレーム５７を構成しているため、確実に一定の強度を有するパネル用フレーム５７を実現することができる。また、外枠体５１の正面板部６１および間隔形成板６５Ｄ，６５Ｌ，６５Ｒと、内枠体５３のフランジ部７１Ｄ，７１Ｌ，７１Ｒとで、デザインパネル５５の挿入路を形成しているため、簡素な構成で、デザインパネル５５の着脱を容易に行うことが可能になる。
【００４３】
また、この実施形態によれば、上部扉７Ｕと、下部収容箱５Ｄに対して着脱自在に結合される上部収容箱５Ｕとからなる上部筐体３Ｕのみを交換することで、リールユニット１５と基板ユニット１７と操作ユニット１９とを新規なものと交換し、電源ユニット１１とホッパーユニット１３とを継続使用して有効活用することができる。
【００４４】
なお、本発明は上記実施形態に限定されるものではなく、その趣旨を逸脱しない限りにおいて上述したもの以外に種々の変更を行うことが可能である。例えば、上記実施形態では、パネル用フレーム５７を外枠体５１と内枠体５３とで構成しているが、本発明はこれに限られず、例えばパネル用フレーム５７を一体的な枠体で構成してもよい。また、上記実施形態では冷陰極管４５Ｕ，４５Ｄを用いているが、本発明はこれに限られず、蛍光灯やＬＥＤなどの他の光源を用いてもよい。
【図面の簡単な説明】
【００４５】
【図１】本発明にかかる分離型スロットマシンの一実施形態の外観を示す斜視図である。
【図２】ベットスイッチを示す斜視図である。
【図３】防護部材を取り外した状態を示す分離型スロットマシンの斜視図である。
【図４】防護部材を取り外した状態を示す分離型スロットマシンの右側面図である。
【図５】さらに上部筐体を下部筐体から取り外した状態を示す分離型スロットマシンの右側面図である。
【図６】正面側から見た防護部材の斜視図である。
【図７】背面側から見た防護部材の斜視図である。
【図８】正面側から見た防護部材の分解斜視図である。
【図９】背面側から見た防護部材の分解斜視図である。
【図１０】図８のＸ−Ｘ線断面図である。
【図１１】防護部材が取り外された分離型スロットマシンを下方から見た斜視図である。
【符号の説明】
【００４６】
１…分離型スロットマシン、３Ｄ…下部筐体、３Ｕ…上部筐体、５Ｄ…下部収納箱、５Ｕ…上部収納箱、７Ｄ…下部扉、７Ｕ…上部扉、９…防護部材、１１…電源ユニット、１３…ホッパーユニット、１５…リールユニット、１５Ｌ，１５Ｍ，１５Ｒ…左・中・右回転リール、１７…基板ユニット、１９…操作ユニット、４５Ｕ，４５Ｄ…冷陰極管（照明用光源）、５１…外枠体、５３…内枠体、５５…デザインパネル（装飾用パネル）、５７…パネル用フレーム、６１…正面板部、６３Ｌ，６３Ｒ…左・右側板部、８１ＵＬ，８１ＵＲ，８１ＵＭ…上側係合部、８１ＤＬ，８１ＤＲ…下側係合部、８３ＵＬ，８３ＵＲ，８３ＵＭ，８３ＤＬ，８３ＤＲ…被係合部
【図１】
2006094928.tif 000003
【図２】
2006094928.tif 000004
【図３】
2006094928.tif 000005
【図４】
2006094928.tif 000006
【図５】
2006094928.tif 000007
【図６】
2006094928.tif 000008
【図７】
2006094928.tif 000009
【図８】
2006094928.tif 000010
【図９】
2006094928.tif 000011
【図１０】
2006094928.tif 000012
【図１１】
2006094928.tif 000013